(57)【要約】  第１の無線局１００は、連続的又は間欠的のいずれかで、送信されたデータパケットの表示に対してチャネルを監視し、前記チャネルの品質を測定する。第１の無線局１００は、測定された品質の表示を送信し、前記測定された品質が品質閾値を下回る場合、監視が行われない時間期間を導入又は増大することにより前記チャネルを監視するのに費やされる時間の割合を減少し、この後に、品質が回復する場合に監視に費やされる時間を増大する。第２の無線局２００は、第１の無線局１００にデータパケットを送信し、測定されたチャネル品質の表示を受信する。前記測定された品質が前記品質閾値を下回る場合、前記第２の局は、前記データパケットの送信間の時間期間を導入又は増大することにより第１の無線局１００に前記データパケットを送信するのに費やされる時間の割合を減少する。
2009521177.tif 000002
【特許請求の範囲】
【請求項１】
無線局を動作する方法において、
送信されたデータ信号の表示に対して第１のチャネルを連続的又は間欠的のいずれかで監視するステップと、
第２のチャネルの品質を測定するステップと、
前記測定された品質の表示を送信するステップと、
前記測定された品質を第１の品質閾値と比較するステップと、
前記第１の品質閾値を下回る前記測定された品質に応答して、監視が行われない時間期間を導入又は増大することにより前記第１のチャネルを監視するのに費やされる時間の割合を減少するステップと、
を有する方法。
【請求項２】
所定の時間期間に対して前記監視に費やされる時間の減少された割合で動作するステップを有する、請求項１に記載の方法。
【請求項３】
前記測定された品質が第２の品質閾値を超えて増大するまで前記監視に費やされる時間の減少された割合で動作するステップを有する、請求項１に記載の方法。
【請求項４】
所定の特性を持つ信号が受信されるまで前記監視に費やされる時間の減少された割合で動作するステップを有する、請求項１に記載の方法。
【請求項５】
前記所定の特性が、前記無線局のアドレスである、請求項４に記載の方法。
【請求項６】
受信されたパラメータ値に依存して前記第１の品質閾値を選択するステップを有する、請求項１に記載の方法。
【請求項７】
受信されたパラメータ値に依存して前記第２の品質閾値を選択するステップを有する、請求項３に記載の方法。
【請求項８】
前記第１の品質閾値を下回る前記測定された品質に応答して、複数のチャネルを監視するのに費やされる時間の割合を減少するステップを有する、請求項１に記載の方法。
【請求項９】
前記第２のチャネルが、前記第１のチャネルと同じチャネルである、請求項１に記載の方法。
【請求項１０】
送信無線局に前記第２の品質閾値の表示を送信するステップを有する、請求項３に記載の方法。
【請求項１１】
送信無線局に前記第１の品質閾値の表示を送信するステップを有する、請求項１ないし１０のいずれか一項に記載の方法。
【請求項１２】
無線局を動作する方法において、
受信局にデータパケットを送信するステップと、
測定されたチャネル品質の表示を前記受信局から受信するステップと、
前記測定された品質が第１の品質閾値を下回ったことを示す前記測定された品質の表示に応答して、前記データパケットの送信間の時間期間を導入又は増大することにより前記受信局に前記データパケットを送信するのに費やされる時間の割合を減少するステップと、
を有する方法。
【請求項１３】
前記測定されたチャネル品質の表示が、前記測定されたチャネル品質が前記第１の品質閾値の上であるか又は下であるかの表示を有する、請求項１２に記載の方法。
【請求項１４】
前記測定された品質が前記第１の品質閾値の上であるか又は下であるかを決定するステップを有する、請求項１２に記載の方法。
【請求項１５】
所定の時間期間に対して前記受信局に前記データパケットを送信するのに費やされる時間の減少された割合で動作するステップを有する、請求項１２乃至１４のいずれか一項に記載の方法。
【請求項１６】
前記測定されたチャネル品質が第２の品質閾値を超えて増大するまで前記受信局に前記データパケットを送信するのに費やされる時間の減少された割合で動作するステップを有する、請求項１２乃至１４のいずれか一項に記載の方法。
【請求項１７】
前記第２の品質閾値の表示を前記受信無線局に送信するステップを有する、請求項１６に記載の方法。
【請求項１８】
前記第１の品質閾値の表示を前記受信無線局に送信するステップを有する、請求項１２ないし１７のいずれか一項に記載の方法。
【請求項１９】
送信されたデータ信号の表示に対して第１のチャネルを連続的又は間欠的のいずれかで監視するように構成された監視手段と、
第２のチャネルの品質を測定するように構成された測定手段と、
前記測定された品質の表示を送信するように構成された送信器手段と、
前記測定された品質を第１の品質閾値と比較するように構成された比較手段と、
前記第１の品質閾値を下回る前記測定された品質に応答して、監視が行われない時間期間を導入又は増大することにより前記第１のチャネルを監視するのに費やされる時間の割合を減少するように構成された制御手段と、
を有する無線局。
【請求項２０】
受信局にデータパケットを送信するように構成された送信器手段と、
測定されたチャネル品質の表示を前記受信局から受信するように構成された受信器手段と、
前記測定された品質が第１の品質閾値を下回ったことを示す前記測定されたチャネル品質の表示に応答して、前記データパケットの送信間の時間期間を導入又は増大することにより前記受信局に前記データパケットを送信するのに費やされる時間の割合を減少するように構成された制御手段と、
を有する無線局。
【発明の詳細な説明】
【技術分野】
【０００１】
本発明は、無線局を動作する方法及び無線局に関する。本発明は、ＵＭＴＳ（ユニバーサルモバイルテレコミュニケーションシステム）、特にＵＭＴＳのＨＳＤＰＡ（高速ダウンリンクパケットアクセス）フィーチャに関して、のようなモバイル通信システムに対する、排他的ではないが特定の応用を持つ。
【背景技術】
【０００２】
現在のＵＭＴＳの高速ダウンリンクパケットアクセス（ＨＳＤＰＡ）フィーチャにおいて、移動局（ＭＳ）は、受信されたダウンリンクチャネル品質の定期的な測定を行う。これらの測定は、変調及び符号化スキーム（ＭＣＳ）の表示の形でサービング基地局に報告され、前記ＭＳは、測定されたチャネル条件下で特定の確率で復号することができると推定する。これらの測定報告は、ＵＭＴＳにおいてチャネル品質インジケータ（ＣＱＩ）として既知である。各サブフレームにおいて、サービングＢＳは、データパケットを受信するＭＳのサブセット（典型的にはより良いチャネル条件を持つもの）を選択するために異なるＭＳから受信されたＣＱＩ報告を使用する。各ＭＳは、前記ＢＳがデータパケットを受信することを予定しているかどうかを確かめるために各サブフレームにおいて１以上の制御チャネル（高速共有制御チャネル、ＨＳ−ＳＣＣＨ）を受信し、復号する。
【０００３】
前記ＭＳにおける処理を単純化するために、連続したサブフレームにおいて単一のＭＳに送信されたパケットが同じＨＳ−ＳＣＣＨを使用して信号送信されなければならないことが、ＵＭＴＳにおいて指定されている。しかしながら、パケットが直前のサブフレームにおいて同じＭＳに送信されなかった場合、前記ＭＳは、前記ＢＳのスケジューラに十分なフレキシビリティを与えるために最大４つのＨＳ−ＳＣＣＨを監視することを必要とされうる。
【０００４】
前記ＨＳ−ＳＣＣＨ制御チャネルの受信及び復号は、前記ＭＳの受信器及びプロセッサにおいてエネルギを消費する。前記ＭＳの電池寿命を増大するためには、データパケットが受信されない時間の可能な限りの時間に対して前記ＭＳの受信器をオフに切替えることが望ましい。
【０００５】
これを達成する１つの既知の方法は、前記ＭＳを、ＨＳ−ＳＣＣＨを監視する必要がない状態にすることである。前記ＭＳは、前記ＢＳにより送信されたコマンドを用いてこの状態にされることができる。しかしながら、この場合、データパケットを受信することができる状態に前記ＭＳを戻すには、比較的長い信号送信プロセスが必要とされ、これは、パケット送信に対する遅延を増大し、ユーザ体験に不利な影響を持ちうる。
【０００６】
他の既知の手順は、前記ＭＳがＨＳ−ＳＣＣＨを監視することを必要とされるサブフレームの数を減少するために前記ＭＳの動作を再設定することである。例えば、前記ＢＳにより送信されたコマンドを用いて、前記ＭＳは、ｎ番目のサブフレームごとにだけ監視するように命令されることができ、これにより他のサブフレームにおいて受信器及びプロセッサの一部又は全てをオフに切替えることができるようにする。しかしながら、この制限は、前記ＭＳに対するチャネル条件が最適である場合に前記ＢＳがデータパケットを送信するより少ない自由を持つので、前記ＢＳにより採用されるスケジューリングアルゴリズムの有効性を低減する。
【発明の開示】
【発明が解決しようとする課題】
【０００７】
本発明の目的は、無線局によるチャネルの監視の改良を可能にすることである。
【課題を解決するための手段】
【０００８】
本発明の第１の態様によると、無線局を動作する方法であって、
送信されたデータ信号の表示に対して第１のチャネルを連続的又は間欠的のいずれかで監視するステップと、
第２のチャネルの品質を測定するステップと、
前記測定された品質の表示を送信するステップと、
前記測定された品質を第１の品質閾値と比較するステップと、
前記第１の品質閾値を下回る前記測定された品質に応答して、監視が行われない時間期間を導入又は増大することにより前記第１のチャネルを監視するのに費やされる時間の割合を減少するステップと、
を有する方法が提供される。
【０００９】
このような方法は、データ信号を受信する無線局に適している。チャネルを監視するのに費やされる時間を減少することにより、前記無線局は、送信されたデータ信号の表示に対して監視するのに使用される受信器の一部をオフに切替えることによりチャネル品質が劣化する場合の電力消費を減少することができる。
【００１０】
オプションとして、監視に費やされる時間の減少される割合は、所定の時間期間に対して動作されることができる。このフィーチャは、前記無線局及び前記監視された信号を送信する局の両方が既知の時間期間に対して前もってタスクをスケジュールすることを可能にする、単純性の利点を持つ。
【００１１】
オプションとして、監視に費やされる時間の減少される割合は、前記測定された品質が第２の品質閾値を超えて増大するまで動作されることができる。このフィーチャは、監視に費やされる時間の割合が、前記品質が回復するとすぐに増大されることができ、したがって不所望な遅延を防ぐという利点を持つ。前記第１及び第２の品質閾値を異ならせることにより、ヒステリシスが、単一の閾値の周りの短期間の振動を防ぐために提供されることができる。
【００１２】
オプションとして、監視に費やされる時間の減少される割合は、所定の特性を持つ信号が受信されるまで動作されることができる。前記所定の特性は、前記無線局のアドレスであってもよく、又は所定のコマンドであってもよい。このフィーチャは、前記監視される信号を送信する局が、前記無線局により監視するのに費やされた時間の割合をある程度制御することができ、前記無線局による独立制御に優先することを含むという利点を持つ。
【００１３】
オプションとして、前記第１又は第２の品質閾値は、それぞれの受信されたパラメータ値に依存して選択されてもよい。このフィーチャは、前記監視される信号を送信する局が、品質閾値を制御することができるという利点を持つ。例えば、前記品質閾値は、システムスループットを改良するために、システム若しくはシステムの一部におけるデータトラフィックの量又は異なる無線局の品質の幅に依存して選択されることができる。
【００１４】
オプションとして、前記第１の品質閾値を下回る前記測定された品質に応答して、前記監視するのに費やされる時間の割合は、複数のチャネルに対して減少されることができる。このフィーチャは、送信されたデータ信号の表示が複数のチャネル上で受信される場合に増大された電力節約を可能にする利点を持つ。
【００１５】
オプションとして、前記第２のチャネルは、前記第１のチャネルと同じチャネルである。このフィーチャは、同時の監視及び測定、又はより少ないチャネルの処理により増大された電力節約を可能にする利点を持つ。別の方法では、前記監視及び測定は、異なるチャネルに実行されることができ、例えば監視がデータチャネルに実行され、測定がパイロット又は制御チャネルに実行される。
【００１６】
本発明の第２の態様によると、無線局を動作する方法であって、
受信局にデータパケットを送信するステップと、
測定されたチャネル品質の表示を前記受信局から受信するステップと、
第１の品質閾値を下回る前記測定された品質に応答して、前記データパケットの送信間の時間間隔を導入又は増大することにより前記受信局に前記データパケットを送信するのに費やされる時間の割合を減少するステップと、
を有する方法が提供される。
【００１７】
このような方法は、受信局にデータ信号を送信する無線局に適している。前記受信局に前記データパケットを送信するのに費やされる時間の割合を減少することにより、前記受信局は、チャネルを監視するのに費やす時間を減少することができ、これにより、上述のようにチャネル品質が劣化する場合に電力消費を減少することができ、前記無線局は、良いチャネル品質を持つ局と通信するためにより多くの時間を当てることによりシステム容量を増大することができる。
【００１８】
前記測定されたチャネル品質の前記受信された表示は、前記受信局がこのような評価を行った場合、前記測定されたチャネル品質が前記第１の品質閾値の上であるか又は下であるかの表示を有しうる。代替的には、前記無線局は、前記測定されたチャネル品質の前記受信された表示に基づいて、このような決定を行うことができる。
【００１９】
オプションとして、前記受信局に前記データパケットを送信するのに費やされる時間の減少された割合は、所定の時間期間に対して動作されることができる。このフィーチャは、単純性の利点を持ち、前記無線局及び前記受信局の両方が、既知の時間期間に対して前もってタスクをスケジュールすることを可能にする。
【００２０】
オプションとして、前記受信局に前記データパケットを送信するのに費やされる時間の減少された割合は、前記測定されたチャネル品質の前記受信された表示が、前記測定されたチャネル品質が第２の品質閾値を超えて増大されたことを示すまで、動作されることができる。このフィーチャは、前記受信局にデータパケットを送信するのに費やされる時間の割合が、前記品質が回復するとすぐに増大されることができ、したがって不所望な遅延を防ぐという利点を持つ。前記第１及び第２の品質閾値を異ならせることにより、ヒステリシスが、単一の閾値の周りの短期間の振動を防ぐために提供されることができる。
【００２１】
本発明の第３の態様によると、
送信されたデータ信号の表示に対して第１のチャネルを連続的又は間欠的のいずれかで監視するように構成された監視手段と、
第２のチャネルの品質を測定するように構成された測定手段と、
前記測定された品質の表示を送信するように構成された送信器手段と、
前記測定された品質を第１の品質閾値と比較するように構成された比較手段と、
前記第１の品質閾値を下回る前記測定された品質に応答して、監視が行われない時間期間を導入又は増大することにより前記第１のチャネルを監視するのに費やされる時間の割合を減少するように構成された制御手段と、
を有する無線局が提供される。
【００２２】
本発明の第４の態様によると、
受信局にデータパケットを送信するように構成された送信器手段と、
測定されたチャネル品質の表示を前記受信局から受信するように構成された受信器手段と、
第１の品質閾値を下回る前記測定された品質に応答して、前記データパケットの送信間の時間期間を導入又は増大することにより前記受信局に前記データパケットを送信するのに費やされる時間の割合を減少するように構成された制御手段と、
を有する無線局が提供される。
【発明を実施するための最良の形態】
【００２３】
図１を参照すると、データパケットを受信する受信無線局１００のブロック概略図が示される。これは、無線信号を受信する受信器（Ｒｘ）１２０の入力部に結合されたアンテナ１１０を有する。受信器１２０の出力部は、受信された信号の品質を測定する品質測定段（Ｑ）１３０の入力部に結合される。受信器１２０の出力部は、データパケットが送信されることの表示、前記データパケット自体及び他の信号を含む、受信された信号を復号する復号器（Ｄｅｃ）１６０の入力部に結合される。復号は、受信された信号が、無線局１００のアドレスを含むかどうかを決定することを含む。復号器１６０は、受信及び復号されたデータをアプリケーション（図示されない）に送る出力部１６５を持つ。復号器１６０は、データパケットの成功した受信を示すために又はデータパケットの再送信を要求するために送信に対する応答を生成することもできる。
【００２４】
品質測定段１３０の出力部は、チャネル品質表示を生成する符号化器（Ｅｎｃ）１７０の入力部に結合される。符号化器１７０の出力部は、アンテナ１１０を介して前記チャネル品質表示の送信のための送信器（Ｔｘ）１８０の入力部に結合される。
【００２５】
比較段１４０は、品質測定段１３０の出力部に結合され、前記測定された品質が閾値の上であるか又は下であるかを決定するために、第１の閾値、及びオプションとして第２の閾値と前記測定された品質を比較するように構成される。
【００２６】
タイミング制御段（ＴＣ）１５０は、受信器１２０、復号器１６０及び品質測定段１３０に結合され、受信無線局１００にアドレスされたデータ信号が受信されない時間期間の間に電力が節約されることができるようにこれらのブロックを有効及び無効にする。タイミング制御段（ＴＣ）１５０は、比較段１４０の出力部にも結合され、前記比較の結果に応答する。
【００２７】
前記測定されたチャネル品質が、前記第１の品質閾値に対して良い場合、受信器１２０及び復号器１６０は、信号に対して監視するためにタイミング制御段１５０により連続的に有効にされることができるか、又は電力を節約するために受信器１２０及び復号器１６０が無効にされる期間と監視する期間とで交互に間欠的に有効にされることができる。この間欠的動作は周期的でありうる。ＵＭＴＳにおける使用に適した実施例において、前記監視は、例えば、特定のサブフレームにおいて生じることができる。
【００２８】
前記測定されたチャネル品質が前記第１の品質閾値を下回る場合、タイミング制御段１５０は、監視に費やされる時間の割合を減少するように受信器１２０及び復号器１６０を制御し、これにより増大された電力節約が可能になる。タイミング制御段１５０は、受信器１２０及び復号器１６０が無効にされる監視無しの時間期間を導入又は増大することによりこれを行う。
【００２９】
品質測定段１３０も、オプションとして、受信器１２０及び復号器１６０と一緒に有効及び無効にされることができる。
【００３０】
タイミング制御段１５０は、この後に、すなわち、
ａ）固定時間期間若しくは受信無線局１００に通知された時間期間のような、前記減少から所定の時間期間が経過した後に、又は
ｂ）前記測定された品質が、前記第１の品質閾値と同じか若しくはそれより高くてもよい前記第２の品質閾値を超えて増大してから、又は
ｃ）コマンドを有する信号若しくは受信無線局１００のアドレスを有する信号のような、所定の特性を持つ信号が受信されてから、
監視に費やされる時間の割合を増大するように受信器１２０及び復号器１５０を制御することができる。代替的には、他の基準が、監視に費やされる時間の減少された割合で動作する持続期間を決定するために適用されてもよい。
【００３１】
無線局１００は、受信されたパラメータ値に依存して前記第１の閾値又は前記第２の閾値を選択することができる。
【００３２】
オプションとして、比較段１４０の出力部は、符号化器１７０の入力部に結合され、前記送信されたチャネル品質表示は、前記測定されたチャネル品質が前記第１又は第２の品質閾値の上であるか又は下であるかの表示を有する。
【００３３】
前記チャネル品質測定が行われる信号が、閉ループ電力制御を受けない実施例において、閉ループ電力制御を受ける他の信号が受信されることができる。このような実施例において、品質測定段１３０は、追加的に、前記無線局にデータパケットを送信する局２００に対する送信のために、閉ループ電力制御を受ける前記受信された信号の品質に基づいて、閉ループ電力制御を受ける信号に対する送信電力制御（ＴＰＣ）コマンドを生成することができる。この場合、品質測定段１３０は、以前に前記品質を測定し、測定された品質の表示を送信した後に、対応する補償電力制御コマンドが無線局１００により送信されたチャネル品質の変更に対する許可を含むように前記チャネル品質測定を修正することができる。例えば、閉ループ電力制御を受ける信号の送信電力を増大するためにコマンドが送信された場合、品質測定段１３０は、最後の測定された品質レベルではなく、前記送信された電力制御コマンドに対応する量だけ前記最後に測定及び報告された品質より低い品質レベルを示すように前記チャネル品質測定を修正することができる。このフィーチャは、前記チャネル品質測定が間欠的にのみ行われる場合に前記閾値と主なチャネル品質のより正確な比較を可能にする利点を持つ。同等に、前記第１又は第２の品質閾値は、前記測定された品質の以前の表示が送信された後に、無線局１００により送信された電力制御コマンドに依存することができる。
【００３４】
タイミング制御段１５０により達成される、前記監視に費やされる時間の減少された割合は、１以上の論理又は物理チャネルに適用されることができる。
【００３５】
前記測定及び監視は、同じ論理若しくは物理チャネル又は異なるチャネル上で生じてもよい。
【００３６】
図２を参照すると、データパケットを送信する送信無線局２００のブロック概略図が示される。送信されるべきデータに対して入力部２４０を持つ符号化器（Ｅｎｃ）２３０が存在する。符号化器２３０は、対象とする受信無線局１００のアドレスの適切な追加を含む、送信のためのデータパケット及び他の信号を符号化する。符号化器２３０の出力部は、前記データパケット及び他の信号を送信する送信器（Ｔｘ）２２０の入力部に結合され、送信器２２０の出力部はアンテナ２１０に結合される。
【００３７】
データパケットが送信される時間を制御するために符号化器２３０及び送信器２２０に結合されたタイミング制御段（ＴＣ）２５０が存在する。受信無線局１００からチャネル品質表示と、場合により前記データパケットの受信に応答して受信無線局１００により送信される応答とを受信するためにアンテナ１に結合される。受信器２８０の出力部は、受信された応答を復号する復号器（Ｄｅｃ）２６０の入力部に結合されることができる。復号器２６０の出力部は、以前のデータパケットが成功裏に受信されたことを示す肯定応答が受信される場合に新しいデータパケットの送信を可能にするか、又は以前のデータパケットが成功裏に受信されなかったことを示す否定応答が受信される場合に以前のデータパケットの再送信を可能にする符号化器２３０の入力部に結合されることができる。復号器２６０の出力部は、下に更に詳細に説明されるように、データパケットが送信又は再送信される時間を制御するタイミングコントローラ２５０に結合される。
【００３８】
タイミング制御段２５０は、前記受信されたチャネル品質表示に応答する。前記チャネル品質表示が、前記測定された品質が第１の品質閾値を下回ったことを示す場合、タイミング制御段２５０は、受信無線局１００にデータパケットを送信するのに費やされる時間の割合を減少するように動作する。例えば、ＵＭＴＳにおける使用に適した実施例において、より少ないサブフレームが、受信無線局１００にデータパケットを送信するのに使用されることができる。
【００３９】
前記チャネル品質表示は、前記測定された品質が前記第１の品質閾値の上であるか又は下であるか否かを明示的に示すことができるか、又はタイミング制御段２５０は、前記示されたチャネル品質を前記第１の閾値と比較することにより前記測定された品質が前記第１の品質閾値の上であるか又は下であるか否かを決定するように構成されることができる。
【００４０】
タイミング制御段２５０は、この後に、すなわち、
ａ）固定時間期間又は受信無線局１００に送信無線局２００により通知される時間期間のような、前記減少から所定の時間期間が経過した後に、又は
ｂ）前記受信されたチャネル品質表示が、前記測定された品質が、前記第１の品質閾値と同じか、それより高くてもよい第２の品質閾値を超えて増大したことを示してから、又は
ｃ）コマンドを有する信号又は受信無線局１００のアドレスを有する信号のような、所定の特性を持つ信号が、送信無線局２００により受信無線局１００に送信されてから、
受信無線局１００にデータパケットを送信するのに費やされる時間の割合を増大するように送信器２２０及び符号化器２３０を制御することができる。代替的に、受信無線局１００にデータパケットを送信するのに費やされる時間の減少された割合で動作する持続期間を決定するのに他の基準が適用されることができる。
【００４１】
タイミング制御段２５０は、更に、受信無線局１００により送信された電力制御コマンドに応答することができる。この場合、タイミング制御段２５０は、前記チャネル品質表示が受信されてから受信された電力制御コマンドに対応する量だけ復号された受信されたチャネル品質表示を修正することができる。例えば、ある量だけ送信器２２０により送信された信号の送信電力を増大するために、最後のチャネル品質表示が受信されてから、電力制御コマンドが受信される場合、タイミング制御段２５０は、前記受信された電力制御コマンドに対応する量だけ報告された品質より低い品質レベルを示すように最後に受信されたチャネル品質表示を修正することができる。同等に、前記第１又は第２の品質閾値は、前記測定されたチャネル品質の最後に受信された表示から後に無線局１００から受信された電力制御コマンドに依存することができる。
【００４２】
送信無線局２００は、受信無線局１００に前記第１又は第２の品質閾値の表示を送信することができ、逆も同様である。前記閾値は、特定の受信無線局１００に固有であるか、又は複数のこのような局に共通であってもよい。前記チャネル品質閾値の信号送信は、例えば、送信無線局２００がセル内の他の無線局のチャネル条件の変化に対して、及び／又はセル内のトラフィックのレベルの変化に対して受信無線局１００による監視を適合することを可能にする。例えば、良いチャネル条件を持つセル内の無線局の数及び送信されるべきデータが増大される場合、送信無線局２００は、それ以下では前記受信無線局が制御チャネルを監視すべきでない閾値を上げることができる。逆に、セル内の受信無線局１００に対するチャネル条件が悪化する場合、又は前記セル内のトラフィック負荷が減少する場合、送信無線局２００は、最大の監視を保証するために品質閾値を、場合によりゼロまで、下げることができる。
【００４３】
図３を参照すると、ＵＭＴＳに適した本発明の一実施例に対するタイミング図が示される。図３Ａは、受信無線局１００により測定されたチャネル品質のサブフレーム番号に対する変化を示すグラフである。チャネル品質の測定がサブフレームごとに１回実行されることが見られることができる。図３Ｂは、受信無線局１００（この例においては移動局、ＭＳと称される）がＨＳ−ＳＣＣＨを監視する時間を示す。図３Ｃは、データパケットが、送信無線局（この例においては基地局、ＢＳと称される）により前記ＭＳに送信される時間を示す。
【００４４】
前記ＢＳは、セルに対する無線カバレッジを提供する。前記セル内の現在の長期間平均トラフィックレベルが、一般に送信がＣＱＩ1より低いダウンリンクチャネル品質を持つＭＳに対して行うことを可能にしないことを決定するのに応答して、前記ＢＳは、前記セル内の１以上のＭＳにＣＱＩ1の値を信号送信する。前記ＢＳは、前記ＭＳにＨＳ−ＳＣＣＨ監視率をも信号送信し、ダウンリンクチャネル品質が第１の品質閾値ＣＱＩ1を下回る場合にどのくらいの頻度で前記ＭＳが前記ＨＳ−ＳＣＣＨを監視すべきかを示す。図３に示される例において、この監視率は、４番目のサブフレームごとに設定される。
【００４５】
図３Ｂに示されるように、最初に、前記ＭＳは、前記ＨＳ−ＳＣＣＨを連続的に監視する。サブフレーム６において、前記ＭＳの報告されたチャネル品質がＣＱＩ1を下回り、前記ＭＳは、以前に受信されたパラメータによって前記ＨＳ−ＳＣＣＨの監視を修正する。
【００４６】
有利には、各ＭＳが減少された率で前記ＨＳ−ＳＣＣＨを監視する実際のサブフレームは、前記ＭＳの一意的な識別子との所定の関係により決定されることができ、例えば、第１の監視サブフレームは、Ｎ＋（Ｈ−ＲＮＴＩ）ｍｏｄ（Ｒ）により与えられることができ、ここでＮは、命令が前記ＢＳから受信されるサブフレームの数であり、Ｈ−ＲＮＴＩは前記ＭＳのＨＳＤＰＡ無線ネットワーク一時識別子であり、Ｒはサブフレーム内で測定される監視周波数である。したがって図３Ｂにおいて、サブフレーム６の後の第１監視サブフレームは、６＋（Ｈ−ＲＮＴＩ）ｍｏｄ（４）により与えられ、この後に、前記ＭＳは、４番目のサブフレームごとに監視する。このようなＭＳ識別子の使用は、同じサブフレームにおいて低いチャネル品質を持つ全てのＭＳにパケットを送信する必要性を避ける。代替的に、サブフレームを割り当てる他の機構が使用されてもよい。
【００４７】
サブフレーム８、１２、１６及び２０において、前記ＭＳは、前記ＨＳ−ＳＣＣＨを監視し、この期間中に前記ＭＳに送信されるデータパケットは、これら同じサブフレームにおいて送信される。他のサブフレームにおいて、前記ＭＳは、電力を節約するために受信器及び／又はプロセッサの一部又は全てをオフに切替える。
【００４８】
サブフレーム２２において、前記ダウンリンクチャネル品質は、前記ＭＳがＣＱＩ1より高いレベルを報告することができるように十分に改良された。この点から、前記ＭＳは、ＨＳ−ＳＣＣＨサブフレームごとの監視を再開し、前記ＢＳは、サブフレームごとに前記ＭＳに対するパケットをスケジュールする完全なフレキシビリティを持つ。
【００４９】
この例において、送信無線局２００はＢＳであり、受信無線局１００はＭＳである。本発明は、送信無線局２００がＭＳであり、受信無線局１００がＢＳである場合にも使用されることができ、又は２つの移動又は固定局間のピアツーピア通信に対して使用されてもよい。
【００５０】
オプションとして、データパケットを監視及び送信する時間の対応する割合を各々持つ複数の品質閾値が採用されてもよい。
【００５１】
本発明は、ＵＭＴＳを参照して記載されているが、本発明は、他の無線通信システムにも適用可能である。
【００５２】
本願明細書及び請求項において、要素に先行する単語"１つの"は、複数のこのような要素の存在を除外しない。更に、単語"有する"は、記載された要素又はステップ以外の要素又はステップの存在を除外しない。請求項内の括弧内の参照符号の包含は、理解を助けることを意図され、限定することを意図しない。
【００５３】
この開示を読むことにより、他の変更例が当業者に明らかである。このような変更例は、無線通信の分野において既知である他のフィーチャ及びここに既に記載されたフィーチャの代わりに又は加えて使用されることができるフィーチャを含むことができる。
【図面の簡単な説明】
【００５４】
【図１】データパケットを受信する無線局のブロック概略図である。
【図２】データパケットを送信する無線局のブロック概略図である。
【図３】チャネルの監視、チャネル品質及びデータパケットの送信を示すタイミング図である。
【図１】
2009521177.tif 000003
【図２】
2009521177.tif 000004
【図３】
2009521177.tif 000005
【国際調査報告】
2009521177.tif 000006
2009521177.tif 000007